(57)【要約】【課題】プログラム登録における操作性を、部品点数を増加させることなく、改善する。【解決手段】複数の音声ファイルが記録された記録手段を備えたオーディオ再生装置において、押下力に応じて異なる第１及び第２の操作入力を受け入れるための２段式操作キーと、各第１操作入力に応答し、前記音声ファイルのうちの選択中のものを、所定の順序における次又はそれ以降の音声ファイルに変更する選択ファイル変更手段（ステップ４２、４４）と、各第２操作入力に応答し、前記選択中の音声ファイルを登録する選択ファイル登録手段（ステップ４６、４７）と、登録した各音声ファイルを再生する手段とを設ける。【選択図】図４
2007095137.tif 000002
【特許請求の範囲】
【請求項１】
複数の音声ファイルが記録された記録手段と、
押下力に応じて異なる第１及び第２の操作入力を受け入れるための２段式操作キーと、
第１操作入力に応答し、前記音声ファイルのうちの選択中のものを、所定の順序における次又はそれ以降の音声ファイルに変更する選択ファイル変更手段と、
第２操作入力に応答し、前記選択中の音声ファイルを登録する選択ファイル登録手段と、
登録した各音声ファイルを再生する手段とを具備することを特徴とするオーディオ再生装置。
【請求項２】
前記第１操作入力には、押下時間に応じて異なる短押し操作入力及び長押し操作入力が含まれ、
前記選択ファイル変更手段は、前記第１操作入力が短押し操作入力である場合には、前記音声ファイルのうちの選択中のものを、前記所定の順序における次の音声ファイルに変更し、前記第１操作入力が長押し操作入力である場合には該選択中のものを、前記所定の順序における、該長押しによる押下時間に応じた分だけ順番が後の音声ファイルに変更するものであることを特徴とする請求項１に記載のオーディオ再生装置。
【請求項３】
押下力に応じて異なる第３及び第４の操作入力を受け入れるための他の２段式操作キーを備え、
前記選択ファイル変更手段は、第３操作入力に応答し、前記音声ファイルのうちの選択中のものを、前記所定の順序における１つ前又はそれよりも前の音声ファイルに変更するものであり、
前記選択ファイル登録手段は、前記第４操作入力にも応答して、前記選択中の音声ファイルの登録を行うものであることを特徴とする請求項１又は２に記載のオーディオ再生装置。
【請求項４】
前記選択中の音声ファイルの変更及び登録を行うための操作入力を許容する動作モードへ移行するための操作手段を有することを特徴とする請求項１〜３のいずれか１項に記載のオーディオ再生装置。
【請求項５】
複数の音声ファイルが記録された記録手段と、
押下力に応じて異なる第１及び第２の操作入力を受け入れるための２段式操作キーとを備えたオーディオ再生装置におけるオーディオ再生方法であって、
第１操作入力に応答し、前記音声ファイルのうちの選択中のものを、所定の順序における次又はそれ以降の音声ファイルに変更する選択ファイル変更工程と、
第２操作入力に応答し、前記選択中の音声ファイルを登録する選択ファイル登録工程と、
登録した各音声ファイルを再生する再生工程とを具備することを特徴とするオーディオ再生方法。
【請求項６】
前記第１操作入力には、押下時間に応じて異なる短押し操作入力及び長押し操作入力が含まれ、
前記選択ファイル変更工程は、
前記短押し操作入力に応答して、前記音声ファイルのうちの選択中のものを、前記所定の順序における次の音声ファイルに変更する工程と、
前記長押し操作入力に応答して、前記音声ファイルのうちの選択中のものを、前記所定の順序における、該長押しによる押下時間に応じた分だけ順番が後の音声ファイルに変更する工程とを備えることを特徴とする請求項５に記載のオーディオ再生方法。
【請求項７】
前記オーディオ再生装置は押下力に応じて異なる第３及び第４の操作入力を受け入れるための他の２段式操作キーを備え、
前記選択ファイル変更工程は、第３操作入力に応答し、前記音声ファイルのうちの選択中のものを、前記所定の順序における１つ前又はそれよりも前の音声ファイルに変更する工程を備え、
前記選択ファイル登録工程は、第４操作入力に応答し、前記選択中の音声ファイルを登録する工程を備えることを特徴とする請求項５又は６に記載のオーディオ再生方法。
【請求項８】
前記選択ファイル変更工程及び選択ファイル登録工程を許容する動作モードへ移行するための操作を受け入れる工程を有することを特徴とする請求項５〜７のいずれか１項に記載のオーディオ再生方法。
【発明の詳細な説明】
【技術分野】
【０００１】
本発明は、複数の音声ファイルのうち所望のものを登録し、登録した音声ファイルを再生することができるようにしたオーディオ再生装置及びオーディオ再生方法に関する。
【背景技術】
【０００２】
ポータブルオーディオ機器等における再生モードとして、１曲ずつ順次再生してゆく通常の再生モードの他、ユーザの便宜を考慮した種々の再生モードが知られている。そのうちの１つに、予め所望の楽曲を選択して登録するプログラム登録を行っておき、登録した楽曲を任意のときに順次再生するプログラム再生がある。プログラム登録を行う場合としては、楽曲を再生しているときに再生中の楽曲を登録する場合と、再生を行っていないときに楽曲を選択して行う場合とがある。
【０００３】
再生中の楽曲のプログラム登録は、たとえば、再生中の楽曲の再生画面において、モードキー又はポップアップメニューキーを押下し、表示される選択項目から「プログラム登録」を選択することにより行うことができる。再生停止中におけるプログラム登録は、楽曲リストを表示させ、登録したい楽曲を選択し、モードキー又はポップアップメニューキーを押下し、さらに「プログラム登録」を選択することにより行うことができる。
【０００４】
図６は従来のポータブルオーディオ機器におけるプログラム登録を行うための処理を例示するフローチャートである。この処理は、プログラム登録を行うことができる楽曲のリストが表示されている状態において繰り返し実行される。処理の開始時には、リスト中の１つの楽曲が、所定の選択位置に位置しており、選択中となっている。
【０００５】
処理を開始すると装置はまず、ステップ６１及び６２において、スクロールダウンキー又はスクロールアップキーが押下されたか否かを判定する。スクロールダウンキーが押下されたと判定した場合にはステップ６３において次の楽曲へスキップし、ステップ６５へ進む。次の楽曲へスキップするということは、表示中の楽曲リストを１曲分上方へスクロールさせ、選択中の楽曲を次の楽曲に変更することを意味する。スクロールアップキーが軽押しされたと判定した場合にはステップ６４において１つ前の楽曲へスキップし、ステップ６５へ進む。１つ前の楽曲へスキップするということは、表示中の楽曲リストを１曲分下方へスクロールさせ、選択中の楽曲を１つ前の楽曲に変更することを意味する。スクロールダウンキー及びスクロールアップキーのいずれも押下されなかったと判定した場合には、そのままステップ６５へ進む。
【０００６】
ステップ６５では、モードキーが押下されたか否かを判定する。押下されなかったと判定した場合にはそのまま図６の処理を終了する。押下されたと判定した場合にはステップ６６において、プログラム登録モードの選択操作がなされたか否かを判定する。選択操作とは、選択及びその選択の確定を行う操作を意味する。該選択操作がなされなかったと判定した場合には、そのまま図６の処理を終了する。該選択操作がなされたと判定した場合には、選択中の楽曲についてプログラム登録を行い、図６の処理を終了する。
【０００７】
これによれば、ユーザは、スクロールダウンキー又はスクロールアップキーを操作して所望の楽曲を選択し、モードキーを押下してプログラム登録モードの選択操作を行うという操作を繰り返すことによって、所望の楽曲についてのプログラム登録を行うことができる。
【０００８】
なお、プログラム登録に関連する技術として、特許文献１には、ユーザの指示に応じてプログラムのタイトルやアーティスト・ネームを選択項目として表示し、選択されたプログラムのプログラムプレイリストを作成し、その後、選択されたプログラムプレイリストに基づく再生を行うことにより、ユーザの好みのプログラムのみを再生することを可能にした再生装置が記載されている。また、同文献には、検索条件、たとえば特定のアーティスト名を指定させ、検索条件に合致するプログラムをプレイリストに登録するようにした技術も記載されている。
【０００９】
また、特許文献２には、記録されているプログラム又はプログラムを集合化したグループについて、指定されたプログラム名又はグループ名で検索を行い、検索されたプログラム又はグループのうち、指定されたものをプレイリストファイルに登録することができるようにした技術が記載されている。
【００１０】
【特許文献１】特開２００２−３１３０７０号公報
【特許文献２】特開２００３−５０８１６号公報
【発明の開示】
【発明が解決しようとする課題】
【００１１】
しかしながら、上述従来のポータブルオーディオ機器等によれば、プログラム登録等の操作に際しては、キーの押下時間や押下回数により区別して異なる指示を与えたり、モードキーの押下により各種設定モードに移行し、その設定モードにおける表示メニューから所望の機能を選択したりする必要がある。このため、使い勝手の面で問題がある。
【００１２】
特にポータブルオーディオ機器の場合、キーの数を節約する必要があるので、同一操作キーに対し、長押し、短押し、又は複数回押下等の押下方法により区別される異なる操作機能を付与したり、設定項目をモードキーで選択すること等により機能を選択したりすることが多用されている。したがって、アルバム等の切替え行うためにどのような操作をしたらよいのかが分かり難い。中でも、再生中の楽曲のプログラム登録に際しては、楽曲の登録を行う度にモードキー等を押下し、かつプログラム登録を行う旨を選択する必要があり、操作が煩雑で分かり難いという問題がある。また、操作性を改善するために専用のキーを設けると、部品点数が増えるため、コスト的に不利となる。
【００１３】
本発明の目的は、このような従来技術の問題点に鑑み、オーディオ再生装置において、部品点数を増加させることなく、プログラム登録における操作性を改善することにある。
【課題を解決するための手段】
【００１４】
上記目的を達成するため、第１の発明に係るオーディオ再生装置は、複数の音声ファイルが記録された記録手段と、押下力に応じて異なる第１及び第２の操作入力を受け入れるための２段式操作キーと、各第１操作入力に応答し、前記音声ファイルのうちの選択中のものを、所定の順序における次又はそれ以降の音声ファイルに変更する選択ファイル変更手段と、各第２操作入力に応答し、選択中の音声ファイルを登録する選択ファイル登録手段と、登録した各音声ファイルを再生する手段とを具備することを特徴とする。
【００１５】
第２の発明に係るオーディオ再生装置は、第１発明において、第１操作入力には、押下時間に応じて異なる短押し操作入力及び長押し操作入力が含まれ、選択ファイル変更手段は、第１操作入力が短押し操作入力である場合には、前記音声ファイルのうちの選択中のものを、前記所定の順序における次の音声ファイルに変更し、第１操作入力が長押し操作入力である場合には該選択中のものを、前記所定の順序における、該長押しによる押下時間に応じた分だけ順番が後の音声ファイルに変更するものであることを特徴とする。
【００１６】
第３の発明に係るオーディオ再生装置は、第１又は第２発明において、押下力に応じて異なる第３及び第４の操作入力を受け入れるための他の２段式操作キーを備え、選択ファイル変更手段は、各第３操作入力に応答し、前記音声ファイルのうちの選択中のものを、前記所定の順序における１つ前又はそれよりも前の音声ファイルに変更するものであり、選択ファイル登録手段は、第２操作入力ばかりでなく、第４操作入力にも応答して、前記選択中の音声ファイルの登録を行うものであることを特徴とする。
【００１７】
第４の発明に係るオーディオ再生装置は、第１〜第３のいずれかの発明において、前記選択中の音声ファイルの変更及び登録を行うための操作入力を許容する動作モードへ移行するための操作手段を有することを特徴とする。
【００１８】
第５の発明に係るオーディオ再生方法は、複数の音声ファイルが記録された記録手段と、押下力に応じて異なる第１及び第２の操作入力を受け入れるための２段式操作キーとを備えたオーディオ再生装置におけるオーディオ再生方法であって、各第１操作入力に応答し、前記音声ファイルのうちの選択中のものを、所定の順序における次又はそれ以降の音声ファイルに変更する選択ファイル変更工程と、各第２操作入力に応答し、前記選択中の音声ファイルを登録する選択ファイル登録工程と、登録した各音声ファイルを再生する再生工程とを具備することを特徴とする。
【００１９】
第６の発明に係るオーディオ再生方法は、第５発明において、第１操作入力には、押下時間に応じて異なる短押し操作入力及び長押し操作入力が含まれ、選択ファイル変更工程は、短押し操作入力に応答して、前記音声ファイルのうちの選択中のものを、前記所定の順序における次の音声ファイルに変更する工程と、長押し操作入力に応答して、前記音声ファイルのうちの選択中のものを、前記所定の順序における、該長押しによる押下時間に応じた分だけ順番が後の音声ファイルに変更する工程とを備えることを特徴とする。
【００２０】
第７の発明に係るオーディオ再生方法は、第５又は第６発明において、オーディオ再生装置は押下力に応じて異なる第３及び第４の操作入力を受け入れるための他の２段式操作キーを備え、選択ファイル変更工程は、各第３操作入力に応答し、前記音声ファイルのうちの選択中のものを、前記所定の順序における１つ前又はそれよりも前の音声ファイルに変更する工程を備え、選択ファイル登録工程は、各第４操作入力に応答し、前記選択中の音声ファイルを登録する工程を備えることを特徴とする。
【００２１】
第８の発明に係るオーディオ再生方法は、第５〜第７のいずれかの発明において、選択ファイル変更工程及び選択ファイル登録工程を許容する動作モードへ移行するための操作を受け入れる工程を有することを特徴とする。
【発明の効果】
【００２２】
本発明によれば、いわゆるプログラム登録における操作性を、部品点数を増加させることなく、改善することができる。
【発明を実施するための最良の形態】
【００２３】
図１は本発明の一実施形態に係るハードディスク内臓型ポータブル再生装置の構成を示すブロック図である。同図に示すように、この装置は、装置各部の制御や各種情報の処理を行う制御部１１、制御部１１によってアクセスされるハードディスク１２、制御部１１の制御により各種情報の表示を行う表示部１３、制御部１１に対してユーザが操作入力を行うための入力部１４、制御部１１からの音声信号を音波に変換して出力する音声出力部１５を備える。
【００２４】
図２は図１の装置の前面を示す。同図において、２１は表示部１３を構成する液晶ディスプレイ、２２は入力部１４を構成する操作キー、２３は同様に入力部１４を構成するメニューキー、２４は音声出力部１５を構成するヘッドホンである。操作キー２２は中央に位置する中央キーＭ、上部に位置する上キーＵ、下部に位置する下キーＤ、右側に位置する右キーＲ、及び左側に位置する左キーＬの５つのキーを備える。それぞれタクトスイッチで構成されている。特に上キーＵ及び下キーＤはそれぞれ、軽く押下する軽押し及び強く押下する強押しにより２段階で動作するタクトスイッチで構成されている。つまり、上キーＵ及び下キーＤはそれぞれ、１つのキーで軽押し及び強押しによる２種類の操作入力を行うことができるようになっている。メニューキー２３は、主に各種のメニューを表示させるために用いられる。
【００２５】
図３はハードディスク１２に記録されている音楽ファイルがそれぞれ所定の方法で区分された様子を示す。各音楽ファイルに付随するアルバム名、アーティスト名、ジャンル名等の情報に基づき、同図のように、各音楽ファイルはアルバム毎に区分することができる。また、各アルバムはさらにアーティスト毎に区分し、各アーティストはジャンル毎に区分することができる。実際には、各区分はハードディスク１２内の各フォルダ（又はディレクトリ）に対応しており、その階層構造における最下位の各フォルダ（アルバム）内に対応する音楽ファイルが格納されている。ユーザはこのような各区分を単位として、音楽ファイルの再生範囲を指定することができる。
【００２６】
たとえば、図３の階層構造において、ジャンルαに含まれる全アーティストの音楽ファイルをすべて再生する場合は、液晶ディスプレイ２１上にジャンル選択画面を表示させ、ジャンルαを選択し、再生の指示を与えればよい。アーティストＢに含まれる全音楽ファイルを再生する場合は、ジャンルαの選択及び右キーＲの押下により表示されるアーティスト選択画面においてアーティストＢを選択し、再生の指示を与えればよい。アルバムｃに含まれる全音楽ファイルを再生する場合は、アーティストＢの選択及び右キーＲの押下により表示されるアルバム選択画面においてアルバムｃを選択し、再生の指示を与えればよい。アルバムｃ中の音楽ファイル３を再生したい場合には、アルバムｃの選択及び右キーＲの押下により表示される音楽ファイルの選択画面において、音楽ファイル３を選択し、再生の指示を与えればよい。
【００２７】
再生指示は、たとえば、中央キーＭを押下し、又はメニューキー２３を押下することによって行うことができる。ジャンル選択画面の表示は、たとえば、メニューキー２３を押下し、選択項目中の「ジャンル」を選択して右キーＲを押下することにより行うことができる。ジャンル選択画面において所望のジャンルを選択し、右キーＲを押下することにより、より下位のアーティストの選択画面を表示させることができる。各選択画面における選択項目の選択は、選択項目の一覧をスクロールさせることにより行うことができる。
【００２８】
たとえばアルバムｃの音楽ファイル３を選択する場合には、アルバムｃの選択及び右キーＲの押下により表示される下位の音楽ファイルの選択画面において、「音楽ファイル１」、「音楽ファイル２」、・・・の選択項目の表示をスクロールさせ、画面上の所定の選択位置、たとえば最上部に「音楽ファイル３」を位置させることにより行うことができる。スクロールは上キーＵ又は下キーＤを押下することにより行うことができる。スクロールの方向は上キーＵ又は下キーＤのいずれを押下するかによって区別することができる。選択した音楽ファイルの楽曲（以下、単に「楽曲」という。）は、上述の再生指示を行うことにより再生させることができる。再生指示がなされると、制御部１１は選択されている音声ファイルに基づく再生を行い、音声信号を音声出力部１５に出力する。音声出力部１５はこの音声信号を音波に変換して出力する。
【００２９】
図４は制御部１１による処理の一部を示すフローチャートである。この処理は、プログラム登録モードを選択し得る状態において実行される。このような状態は、たとえば、楽曲の再生中にメニューキー２３が押下され、表示されたメニュー中に選択項目として「プログラム登録モード」が存在する場合が該当する。
【００３０】
処理を開始すると、制御部１１は、まずステップ４１において、プログラム登録モードへの移行操作がなされたか否かを判定する。プログラム登録モードへの移行操作はたとえば、メニュー中の選択項目から「プログラム登録モード」を選択し、中央キーＭ又はメニューキー２３を押下することにより行うことができる。プログラム登録モードへの移行操作がなされなかったと判定した場合は図４の処理を終了する。該移行操作がなされたと判定した場合にはプログラム登録モードへ移行し、ステップ４２へ進む。
【００３１】
プログラム登録モードへ移行する場合、液晶ディスプレイ２１には、現在選択されている楽曲の曲名（音楽ファイル名）及び所定の順序でそれに引き続くいくつかの楽曲の曲名が選択項目として表示される。現在選択されている楽曲としては、たとえば楽曲の再生中にプログラム登録モードへ移行した場合、再生中であった楽曲が該当する。
【００３２】
ステップ４２及び４３においては、上キーＵ又は左キーＬが軽押しされたか否かを判定する。上キーＵが軽押しされたと判定した場合にはステップ４４において次の楽曲へスキップし、ステップ４６へ進む。次の楽曲へスキップするということは、液晶ディスプレイ２１上の各楽曲名の表示を１曲分上方へスクロールさせ、選択中の楽曲を次の楽曲に変更することを意味する。左キーＬが軽押しされたと判定した場合にはステップ４５において１つ前の楽曲へスキップし、ステップ４６へ進む。１つ前の楽曲へスキップするということは、液晶ディスプレイ２１上の各楽曲名の表示を１曲分下方へスクロールさせ、選択中の楽曲を１つ前の楽曲に変更することを意味する。上キーＵ及び左キーＬのいずれも軽押しされなかったと判定した場合には、そのままステップ４６へ進む。
【００３３】
ここで、「次の楽曲」及び「１つ前の楽曲」とは、たとえば音楽ファイル名及びフォルダ名によりソートした順序で見た場合の次の楽曲及び１つ前の楽曲が該当する。図３の階層構造がこのようなソート順で示されているとすれば、アルバムａ中の音楽ファイル４の楽曲の次の楽曲は、アルバムｂ中の音楽ファイル１の楽曲となる。なお、プログラム登録モードへの移行時には、たとえばその時点において再生されていた楽曲が選択されており、この楽曲を基準として次又は１つ前の楽曲が決定される。
【００３４】
ステップ４６では、上キーＵ又は左キーＬが強押しされたか否かを判定する。上キーＵ又は左キーＬのいずれも強押しされなかったと判定した場合にはそのままステップ４８へ進み、いずれかが強押しされたと判定した場合にはステップ４７において、選択されている楽曲についてプログラム登録を行い、ステップ４８に進む。
【００３５】
ステップ４８では、プログラム登録モードの終了か否かを判定する。終了でないと判定した場合にはステップ４２へ戻り、終了であると判定した場合には、プログラム登録モードを解除し、図４の処理を終了する。たとえば、メニューキー２３の押下があった場合にはプログラム登録モードの終了と判定される。図４の処理を終了した後、ユーザは、たとえばメニューキー２３の押下により表示されるメニュー中の選択項目として表示される「プログラム再生」を選択し、再生指示を行うことにより、プログラム登録を行った楽曲の再生を行うことができる。
【００３６】
これによればプログラム登録モードへ移行した後、上キーＵ又は下キーＤを軽押して選択中の楽曲を１曲ずつ変更しながら、所望の楽曲が選択されたところで上キーＵ又は下キーＤを強押しすることにより、所望の楽曲を順次プログラム登録してゆくことができる。その間、従来のように「プログラム登録」を選択するためのメニュー表示を行う必要はない。つまり、指先を上キーＵ又は下キーＤ上に置いたまま、軽押し及び強押しを使い分けるだけのワンキーオペレーションにより、容易に複数の楽曲についてプログラム登録を行うことができる。また、楽曲の選択と登録を１つのキーで行うことができるので、キー数を削減し、コストダウンを図ることができる。
【００３７】
なお、図４の処理を行っている間、選択中の楽曲を再生することにより、その楽曲についてプログラム登録を行うか否かのユーザによる判断が容易となる。この場合、ユーザは液晶ディスプレイ２１を見る必要はなく、上キーＵ又は下キーＤの軽押し又は強押しのみにより、選択中の各楽曲を聴いて確認しながら、所望の楽曲についてプログラム登録を行ってゆくことができる。
【００３８】
図５は制御部１１による処理の一部の別の例を示すフローチャートである。図５において、図４の場合と同一処理内容のステップについては同一の符号を付してある。図４の処理では、選択中の楽曲を次の楽曲又は１つ前の楽曲へ変更（ステップ４４及び４５）した後、直ちにステップ４６へ進むようにしているが、図５の処理では、選択中の楽曲を次の楽曲又は１つ前の楽曲へ変更（ステップ４４及び４５）した後、連続スクロールを可能にするため、ステップ５１〜５４が追加的に設けられている。
【００３９】
すなわち制御部１１は、ステップ４４において、選択中の楽曲を次の楽曲に変更（スキップ）した後、ステップ５１において、ステップ４２で検出した上キーＵの軽押しが長押しとなるか否かを判定する。軽押しが所定時間以上継続している場合、長押しであると判定される。長押しにならないと判定した場合にはそのままステップ４６へ進む。長押しになったと判定した場合には、ステップ５２において、連続スクロールを行う。すなわち、上キーＵの軽押しが解除されるまで、液晶ディスプレイ２１上に所定の順番で表示されている各楽曲名を所定の速度で上方へスクロールさせる。上キーＵの軽押しが解除さると、ステップ４６へ進む。これにより、選択中の楽曲は、長押しによる押下時間に応じた分だけ順番が後の楽曲に変更されることになる。
【００４０】
ステップ４５において、選択中の楽曲を１つ前の楽曲に変更（スキップ）した後は、スクロールの方向が異なる以外は、ステップ５１及び５２の処理と同様の処理が、ステップ５３及び５４において行われる。
【００４１】
これによれば、上キーＵ又は下キーＤを軽く長押しするだけで、選択対象となる楽曲名のリストを連続スクロールさせることができる。したがって、選択対象となる楽曲が多くて連続スクロールを行いたい場合の操作性を向上させることができる。
【００４２】
なお、本発明は上述の実施形態に限定されることなく適宜変形して実施することができる。たとえば、上述においては、ハードディスクに音楽ファイルを格納するようにしているが、半導体メモリに音楽ファイルを格納するようにしてもよい。
【００４３】
また、上述においては、メニュー中の選択項目について、選択を行い、選択の確定（再生指示等）を行って楽曲の再生やプログラム登録モードへの移行を行う場合に、中央キーＭや右キーを用いるようにしているが、この代わりに、上キーＵ又は下キーＤを用いるようにしてもよい。すなわち、プログラム登録の場合以外でも、上キーＵ又は下キーＤの軽押しにより選択項目のスクロールによる選択を行い、強押しにより選択の確定を行うようにしてもよい。
【００４４】
また、上述においては特に言及しなかったが、上キーＵ又は下キーＤに対し、強押しによる長押しについても、別の操作機能を付与するようにしてもよい。つまり、各キーに対し、押下力の強弱及び押下時間の長短の各組合せに応じて４つの異なる操作機能を付与するわけである。たとえば、タイマ機能を使用する場合のように、軽押しによりメニューをスクロールさせて「タイマ」を選択し、強押しによりその選択を確定した後、さらに時間設定が必要であるような場合、強押しによる選択の確定後、さらにその強押しを続けて長押しとすることにより、時間設定を行うことができる。
【図面の簡単な説明】
【００４５】
【図１】本発明の一実施形態に係るハードディスク内臓型ポータブル再生装置の構成を示すブロック図である。
【図２】図１の装置の前面を示す図である。
【図３】図１の装置のハードディスクに記録されている音楽ファイルを所定の方法で区分した様子を示す図である。
【図４】図１の装置における制御部による処理の一部を示すフローチャートである。
【図５】図１の装置における制御部による処理の一部の別の例を示すフローチャートである。
【図６】従来のポータブルオーディオ再生装置における処理の一部を例示するフローチャートである。
【符号の説明】
【００４６】
１１：制御部、１２：ハードディスク、１３：表示部、１４：入力部、１５：音声出力部、２１：液晶ディスプレイ、２２：操作キー、２３：メニューキー、２４：ヘッドホン、Ｍ：中央キー、Ｒ：右キー、Ｌ：左キー、Ｕ：上キー、Ｄ：下キー。
【図１】
2007095137.tif 000003
【図２】
2007095137.tif 000004
【図３】
2007095137.tif 000005
【図４】
2007095137.tif 000006
【図５】
2007095137.tif 000007
【図６】
2007095137.tif 000008